(57)【特許請求の範囲】
【請求項１】
タオル地からなるタオル本体と、
前記タオル本体に設けられ、紐状部材が移動可能に挿通される挿通部と、を備え、
前記紐状部材を所定の方法で操作することにより、タオル以外の用途に使用できる多用途タオルであって、
前記挿通部には、前記紐状部材の挿通位置を視認できる窓部が設けられ、
前記紐状部材と前記窓部にはそれぞれ、前記紐状部材と前記窓部との位置合わせのための印が付されていることを特徴とする、多用途タオル。
【請求項２】
前記タオル本体は矩形状であり、
前記挿通部は、前記タオル本体の短辺の縁部に設けられることを特徴とする、請求項１に記載の多用途タオル。
【請求項３】
前記窓部は、２つ以上設けられることを特徴とする、請求項１又は２に記載の多用途タオル。
【請求項４】
前記位置合わせのための印は、タオル以外の用途に対応して２つ以上設けられることを特徴とする、請求項１〜３のいずれかに記載の多用途タオル。
【請求項５】
前記タオル本体には、前記挿通部に挿通された前記紐状部材が、タオル以外の用途に応じて順次挿通される１又は２以上の用途別挿通部が設けられることを特徴とする、請求項１〜４のいずれかに記載の多用途タオル。
【請求項６】
前記用途別挿通部は２以上設けられ、
前記各用途別挿通部は、他の用途別挿通部と区別できる形態であることを特徴とする、請求項５に記載の多用途タオル。
【発明の詳細な説明】
【技術分野】
【０００１】
本発明は、１枚のタオルで複数の用途に利用可能な多用途タオルに関する。
【背景技術】
【０００２】
１枚のタオルでタオル以外の用途に利用できるタオルが知られている（例えば、特許文献１参照）。特許文献１に開示されるタオルは、タオル以外の用途が１種類であり、タオル本体を肩ひもで引上げるとともに胴ひもで引き下げるように構成し、肌着を着替えることなく取り替えることができる汗取りタオルとして利用することができる。このようなタオルでは、タオル以外の用途に応じた使い方が複雑になるため、タオルをどのように使えばよいかの説明書などが添付されるのが一般的である。
【先行技術文献】
【特許文献】
【０００３】
【特許文献１】実開平７−３０８８２号公報
【発明の概要】
【発明が解決しようとする課題】
【０００４】
しかしながら、特許文献１のように、タオル以外の用途が１種類だけでは、さまざまな用途に対応できず汎用性に欠けていた。また、タオル以外の用途に使う際に、説明書を見ながら操作するのでは不便であり、説明書がないとタオルをどのように使えばよいかわからなくなることがある。このため、必要なときに必要な用途が使えなかったり、タオル以外の用途に使えること自体を忘れてしまうことがあった。
【０００５】
そこで本発明は、このような問題に鑑みてなされたもので、その目的とするところは、１枚のタオルで複数の用途に利用可能な多用途タオルにおいて、複数の用途に利用できて便利であるとともに、その使い方を容易に理解することの可能な、新規かつ改良された多用途タオルを提供することにある。
【課題を解決するための手段】
【０００６】
上記課題を解決するために、本発明によれば、タオル地からなるタオル本体と、前記タオル本体に設けられ、紐状部材が移動可能に挿通される挿通部と、を備え、前記紐状部材を所定の方法で操作することにより、タオル以外の用途に使用できる多用途タオルであって、前記挿通部には、前記紐状部材の挿通位置を視認できる窓部が設けられ、前記紐状部材には、前記紐状部材と前記窓部との位置合わせのための印が付されていることを特徴とする、多用途タオルが提供される。
【０００７】
かかる構成によれば、挿通部に、紐状部材の挿通位置を視認できる窓部が設けられ、紐状部材には、紐状部材と窓部との位置合わせのための印が付されていることによって、さまざまな用途に対応でき、説明書がなくても、必要なときに必要な用途が利用できる。多用途タオルをある用途に使うときに、紐状部材の位置合わせが容易になる。なお、位置合わせのための印は、紐状部材だけでなく、挿通部の窓部にも付してもよい。このようにして、複数の用途に利用できて便利であるとともに、その使い方を容易に理解することが可能である。
【０００８】
本発明の多用途タオルはさまざまな応用が可能である。例えば、前記タオル本体は矩形状であり、前記挿通部は、前記タオル本体の短辺の縁部に設けるようにしてもよい。タオルの本来の機能を損ねることなく、多用途タオルを実現することができる。
【０００９】
また、前記窓部を２つ以上設けてもよい。タオル以外の用途として、紐状部材の長さを変えた様々な用途に使用することが可能である。また、紐状部材を挿通部に挿通させたり移動させたりする際に、より容易に挿通及び移動させることができる。
【００１０】
また、前記位置合わせのための印を、タオル以外の用途に対応して２つ以上設けることによっても、タオル以外の用途として、紐状部材の長さを変えた様々な用途に使用することが可能である。
【００１１】
また、前記タオル本体には、前記挿通部に挿通された前記紐状部材が、タオル以外の用途に応じて順次挿通される１又は２以上の用途別挿通部を設けてもよい。紐状部材の操作の仕方としては、紐状部材をタオル本体を結んだり、紐状部材を身体に巻き付けたりしてもよいが、このように用途別挿通部を設けて、紐状部材を用途別挿通部に順次挿通することによって、タオル本体を、所望の用途の形態に、容易に変形することが可能である。
【００１２】
この際、前記用途別挿通部は２以上設けられ、前記各用途別挿通部は、他の用途別挿通部と区別できる形態としてもよい。例えば、各用途別挿通部を、色彩や形状や模様を変えたり、番号を付したりすることができる。このようにすると、紐状部材を用途別挿通部に挿通する順番がわかりやすく、所望の用途の形態に、より容易に変形することが可能である。
【発明の効果】
【００１３】
本発明によれば、１枚のタオルで複数の用途に利用可能な多用途タオルにおいて、複数の用途に利用できて便利であるとともに、その使い方を容易に理解することが可能である。本発明のその他の効果については、以下の発明を実施するための形態の項でも説明する。
【図面の簡単な説明】
【００１４】
【図１】第１の実施形態にかかる多用途タオルの全体構成を示す図である。
【図２】図１の紐状部材と挿通部を示す図であり、（ａ）は挿通部に窓部が設けられている側を示し、（ｂ）は（ａ）の反対側を示す。
【図３】多用途タオルを三角巾として利用する例を示す図である。
【図４】多用途タオルを三角巾として利用する工程を示す図である。
【図５】多用途タオルをパンツとして利用する例を示す図である。
【図６】第２の実施形態にかかる多用途タオルの全体構成を示す図である。
【図７】図６の挿通部と紐状部材を示す図であり、（ａ）は挿通部に窓部が設けられている側を示し、（ｂ）は（ａ）の反対側を示す。
【図８】多用途タオルをペット用ハーネスとして利用する例を示す図である。
【図９】多用途タオルをペット用ハーネスとして利用する工程を示す図である。
【図１０】多用途タオルを肌着として利用する例を示す図である。
【図１１】多用途タオルを肌着として利用する工程を示す図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
（第１の実施形態）
本発明の第１の実施形態について説明する。図１は、本実施形態にかかる多用途タオル１００の全体構成を示す図である。図２は、挿通部と紐状部材を示す図である。
【００１７】
本実施形態にかかる多用途タオル１００は、図１に示したように、タオル地からなるタオル本体１１０と、タオル本体１１０に設けられ、紐状部材１２０が移動可能に挿通される挿通部１３０と、同じくタオル本体１１０に設けられ、タオル以外の用途に応じて紐状部材１２０が挿通される４つの用途別挿通部１４０−１、１４０−２、１４０−３、１４０−４と、を備えて構成される。そして、多用途タオル１００は、紐状部材１２０を所定の方法で操作することにより、タオル以外の用途に使用することができる。以下、多用途タオル１００の各構成要素について詳細に説明する。
【００１８】
（タオル本体１１０）
タオル本体１１０は、タオル地からなる。タオル地には一般的なものを用いることができる。タオル地について概説すると、タオル地とは、主に綿で作られる織物である。緯糸を織り込む際に、たて糸の一部（パイル糸）を緩めて布地にループ状の部分を形成し、保温性、保湿性、吸水性を高めたものである。パイルが片面のものと両面のものがある。タオル地には、容易に抗菌加工を施すことができる。本実施形態のタオル本体１１０についても、必要な個所に抗菌加工を施すことにより、衛生性を高めることができる。タオル地については、当業者であれば容易に理解できるものであるため、これ以上の詳細な説明を省略する。
【００１９】
タオル本体１１０の形状は任意であるが、ここでは一例として図１に示したように、短辺が３４ｃｍ程度で、長辺が１００ｃｍ程度の矩形状とする。タオル本体１１０の一方の短辺の縁部には、ほぼ全長にわたって、紐状部材１２０が移動可能に挿通される挿通部１３０が設けられる。また、タオル本体１１０には、４か所に用途別挿通部１４０が設けられる。これら紐状部材１２０、挿通部１３０及び用途別挿通部１４０の詳細については後述する。
【００２０】
（紐状部材１２０）
紐状部材１２０は、図１に示したように、全長が１９０ｃｍ程度であり、タオル本体１１０に設けられる挿通部１３０に移動可能に挿通される。紐状部材１２０は、例えばタオル本体１１０と同様のタオル地で構成してもよく、その他の布や樹脂など任意の素材で構成することも可能である。なお、紐状部材１２０の長さや太さや材質は任意である。多用途タオル１００で使用できる用途や、タオル本体１１０の大きさなどに合わせて、紐状部材１２０を最適な長さや太さや材質とすることができる。
【００２１】
図２は、紐状部材１２０と挿通部１３０の部分を拡大して示す図であり、図２（ａ）は挿通部１３０に窓部１３２を設けた側を示し、図２（ｂ）は図２（ａ）の反対側を示す。紐状部材１２０には、図２に示したように、挿通部１３０に対する挿通位置の位置合わせを行うための印１２２が付されている。例えば、紐状部材１２０を黒い紐とし、印１２２を赤い線（ステッチ）とすることができる。印１２２は、紐状部材１２０のほぼ中央に付すことができる。
【００２２】
なお、紐状部材１２０の印１２２は、１つだけでなく、用途に対応して２つ以上の印を付すこともできる。２つ以上の印を付すときには、例えば、印の色を変える（例えば、赤い線とピンクの線など）ことができる。また、紐状部材１２０は、タオル本体１１０から取り外せるようにしてもよく、あるいは、適当な個所に結び目を設けたり、太さを変えたりすることによって、紐状部材１２０をタオル本体１１０から取り外せないようにしてもよい。
【００２３】
（挿通部１３０）
挿通部１３０は、図１及び図２に示したように、紐状部材１２０が移動可能に挿通されるものである。挿通部１３０はタオル本体１１０のどこに設けてもよいが、図１に示した一例では、タオル本体１１０の一方の短辺のほぼ全長に設けられている。挿通部１３０は、それ自体が筒状で構成されて、その筒状の中を紐状部材１２０が挿通するようにしてもよい。あるいは、挿通部１３０とタオル本体１１０との間を、紐状部材１２０が挿通するようにしてもよい。挿通部１３０は、タオル本体１１０と同様にタオル地で構成してもよく、その他の布や樹脂など任意の素材で構成することも可能である。なお、挿通部１３０をタオル本体１１０と同様の素材で構成する際には、タオル本体１１０の端部を折り曲げることで、タオル本体１１０の一部を挿通部１３０として機能させてもよい。
【００２４】
挿通部１３０には、図１及び図２に示したように、紐状部材１２０の挿通位置を視認できる窓部１３２が設けられている。挿通部１３０に窓部１３２が設けられることにより、挿通部１３０に紐状部材１２０を挿通するときに、窓部１３２を介して紐状部材１２０を直接見たり触ったりすることができるため、挿通作業が容易になる。
【００２５】
また、窓部１３２には、図２に示したように、上述した紐状部材１２０との位置合わせのための印１３４が付されている。窓部１３２に印１３４が付されていることによって、紐状部材１２０の位置合わせを容易に行うことができる。ただし、窓部１３２を設けることによって、窓部１３２自体が紐状部材１２０との位置合わせの役割を果たすことができる。このため、窓部１３２の印１３４は、必ずしも付さなくてもよい。
【００２６】
（用途別挿通部１４０）
用途別挿通部１４０−１、１４０−２、１４０−３、１４０−４は、図１に示したように、タオル本体１１０の縁部に４つ設けられており、挿通部１３０に挿通された紐状部材１２０が、タオル以外の用途に応じて順次挿通される。なお、本明細書において、用途別挿通部１４０−１、１４０−２、１４０−３、１４０−４を、用途別挿通部１４０と総称することがある。
【００２７】
図１に示した一例では、タオル本体１１０のうち、挿通部１３０が設けられていない側の短辺の両端部に、用途別挿通部１４０−１、１４０−２が設けられ、また、タオル本体の各長辺のほぼ中央にそれぞれ用途別挿通部１４０−３、１４０−４が設けられている。これら用途別挿通部１４０には、上述した紐状部材１２０が順次挿通される。このような紐状部材１２０の操作、すなわち紐状部材１２０の通し方によって、タオル本体１１０を様々な形態にすることができる。
【００２８】
用途別挿通部１４０は、紐状部材１２０を通すことができれば、どのような形態であってもよい。例えば、図１に示した一例では、タオル本体１１０の短辺の両端部に設けられる２つの用途別挿通部１４０−１、１４０−２は、リング状の形状をしており、タオル本体１１０の長さ方向に突出してそれぞれ設けられる。また、用途別挿通部１４０のうち、両長辺の長さ方向中央位置に設けられる２つの用途別挿通部１４０−３、１４０−４は、長方形状をしており、タオル本体１１０との間に挿通孔を構成するようにタオル本体１１０の縁部に沿って設けられる。
【００２９】
各用途別挿通部１４０は、挿通する順序を識別するために、他の用途別挿通部と区別できる形態となっている。各用途別挿通部１４０を他の用途別挿通部と区別する方法としては、例えば、色彩、形状、模様などを異なるものとしたり、番号付けしたりすることによって行うことができる。一例としては、各用途別挿通部１４０を、緑、青、紫、赤で色分けすることができる。
【００３０】
以上、本実施形態にかかる多用途タオル１００の構成について説明した。次に、多用途タオル１００の使用方法について説明する。本実施形態では、多用途タオル１００の用途として、（Ａ）三角巾と（Ｂ）子供用パンツについて説明する。
【００３１】
（Ａ）三角巾
本実施形態の多用途タオル１００は、図３に示したように、三角巾として用いることができる。すなわち、多用途タオル１００において、紐状部材１２０を用途別挿通部１４０に所定の順番及び方法で挿通させることにより、三角巾とすることができる。以下に、多用途タオル１００を三角巾として利用する工程を、図２〜図４を参照しながら詳述する。なお、以下の説明において、紐状部材１２０を用途別挿通部１４０に挿通する方向を表すために、タオル本体１１０の外側から内側へ挿通する、又は、タオル本体１１０の内側から外側へ挿通するという表現で説明する。
【００３２】
まず、図２に示したように、紐状部材１２０の印１２２と、窓部１３２の印１３４とを一致させておく。このとき、挿通部１３０から導出される左右の紐状部材１２０の長さはほぼ同じになる。次に、図４（ａ）に示したように、タオル本体１１０の長辺方向のほぼ中央位置で、タオル本体１１０を２つ折りにする。
【００３３】
次に、図４（ｂ）に示したように、紐状部材１２０の両端部を、内側から用途別挿通部１４０−１、１４０−２にそれぞれ挿通させた後、続いて、外側から用途別挿通部１４０−３、１４０−４にそれぞれ挿通させる。
【００３４】
次に、図４（ｃ）に示したように、タオル本体１１０をさらに２つ折りにする。この後、紐状部材１２０の両端部を用途別挿通部１４０−３、１４０−４から引き出して、用途別挿通部１４０−１、１４０−２と用途別挿通部１４０−３、１４０−４を接近させていき、近接して配置させる。
【００３５】
最後に、図４（ｃ）に示した状態のタオル本体１１０を、身体に装着する（図３も参照のこと）。まず、タオル本体１１０を身体の正面に配置し、紐状部材１２０の両端部を首の後ろで結び、挿通部１３０と用途別挿通部１４０−３、１４０−４の間のタオル本体１１０の空間に腕を通す。以上のようにして、図３に示したように、多用途タオル１００を、三角巾として用いることができる。
【００３６】
（Ｂ）子供用パンツ
多用途タオル１００の他の用途について説明する。多機能タオル１００は、図５に示したように、子供用パンツとして用いることができる。図５（ａ）は、多機能パンツ１００を子供用パンツとして用いた状態を前から見た図であり、図５（ｂ）は、後ろから見た図である。
【００３７】
多用途タオル１００を変形させる工程は、上記（Ａ）三角巾と同様である。すなわち、窓部１３２の印１３４と、紐状部材１２０の印１２２とを一致させ、タオル本体１１０を折り曲げて、紐状部材１２０を用途別挿通部１４０に挿通していく工程は、図４（ａ）〜（ｃ）に示したとおりである。
【００３８】
そして、図４（ｃ）に示した状態のタオル本体１１０を、身体に装着する（図５も参照のこと）。タオル本体１１０を、挿通部１３０が身体の後ろ側に配置されるように、挿通部１３０と用途別挿通部１４０−３、１４０−４の間のタオル本体１１０の空間に子供の足を通し、紐状部材１２０をタオル本体１１０の上から子供の腰に巻き付けて結ぶ。以上のようにして、図５に示したように、多用途タオル１００を、子供用パンツとして用いることができる。
【００３９】
（第１の実施形態の効果）
以上説明したように、本実施形態によれば、挿通部１３０に、紐状部材１２０の挿通位置を視認できる窓部１３２が設けられ、紐状部材１２０と窓部１３２にそれぞれ、位置合わせのための印１２２、１３４が付されていることによって、さまざまな用途に対応でき、説明書がなくても、必要なときに必要な用途に利用できる。このようにして、複数の用途に利用できて便利であるとともに、その使い方を容易に理解することが可能である。
【００４０】
また、多用途パンツ１００を、タオル以外に三角巾や子供用パンツとして用いることができるので、非常時や緊急時に利用するのに最適である。このため、例えば被災地での利用や、住宅内に防災グッズとして設置したりなど、さまざまな場面で利用可能である。
【００４１】
（第２の実施形態）
本発明の第２の実施形態について説明する。図６は、本実施形態にかかる多用途タオル２００の全体構成を示す図である。図７は、挿通部と紐状部材を示す図である。以下では、上記第１の実施形態と異なる部分を中心に説明する。
【００４２】
タオル本体２１０と用途別挿通部２４０（２４０−１、２４０−２、２４０−３、２４０−４）については、上記第１の実施形態のタオル本体１１０と用途別挿通部１４０（１４０−１、１４０−２、１４０−３、１４０−４）と実質的に同様である。
【００４３】
（紐状部材２２０）
図７は、紐状部材２２０と挿通部２３０の部分を拡大して示す図である。図７（ａ）は挿通部２３０に窓部２３２を設けた側を示し、図７（ｂ）は図７（ａ）の反対側を示す。本実施形態の紐状部材２２０は、図７に示したように、挿通部２３０に対する挿通位置の位置合わせを行うための印２２２が付されている。なお、紐状部材２２０の印２２２は、１つだけでなく、用途に対応して２つ以上の印を付すこともできる。以上の点では、上記第１の実施形態の紐状部材１２０と実質的に同様である。
【００４４】
さらに、本実施形態では、後述するように、挿通部２３０の窓部２３２を３つ設けたことから、紐状部材２２０の印２２２を複数設けると、多用途タオル２００の用途を広げることができる。なお、その他の点については、第１の実施形態の紐状部材１２０と実質的に同様である。
【００４５】
（挿通部２３０）
本実施形態の挿通部２３０には、図６及び図７に示したように、紐状部材２２０の挿通位置を視認できる窓部２３２が３つ設けられている。この点で、上記第１の実施形態の挿通部１３０と異なる。挿通部２３０に窓部２３２が３つ設けられることにより、挿通部２３０に紐状部材２２０を挿通するときに、窓部２３２を介して紐状部材２２０を直接見たり触ったりことができるため、上記第１の実施形態よりもさらに挿通作業が容易になる。
【００４６】
さらに、挿通部２３０に窓部２３２が３つ設けられることにより、紐状部材２２０の位置を様々に設定することができる。例えば、紐状部材２２０に付された印２２２が、紐状部材２２０のほぼ中央であるときに、紐状部材２２０の印２２２を、３つの窓部２３２のいずれかに位置合わせすることにより、紐状部材２２０の左右を同じ長さにしたり、異なる長さにしたりすることができる。このようにして、多用途タオル２００の用途を広げることができる。
【００４７】
また、窓部２３２には、図７に示したように、上述した紐状部材２２０との位置合わせのための印２３４（丸、三角、四角）が付されている。窓部２３２に印２３４が付されていることによって、紐状部材２２０の位置合わせを容易に行うことができる。ただし、窓部２３２を設けることによって、窓部２３２自体が紐状部材２２０との位置合わせの役割を果たすことができる。このため、窓部２３２の印２３４は、必ずしも付さなくてもよい。なお、その他の点については、第１の実施形態の挿通部１３０と実質的に同様である。
【００４８】
以上、本実施形態にかかる多用途タオル２００の構成について説明した。次に、多用途タオル２００の使用方法について説明する。本実施形態では、多用途タオル２００の用途として、（Ｃ）ペット用ハーネスについて説明する。
【００４９】
（Ｃ）ペット用ハーネス
本実施形態の多用途タオル２００は、図８に示したように、ペット用ハーネスとして用いることができる。すなわち、多用途タオル２００において、紐状部材２２０を用途別挿通部２４０に所定の順番及び方法で挿通させることにより、ペット用ハーネスとすることができる。以下に、多用途タオル２００ペット用ハーネスとして利用する工程を、図７〜図９を参照しながら詳述する。
【００５０】
まず、図７に示したように、３つの窓部２３２のうちの左端の窓部２３２の印２３４と、紐状部材２２０の印２２２とを一致させておく。このとき、挿通部２３０の左側から導出される紐状部材２２０の長さが短く、右側から導出される紐状部材２２０の長さが長くなる。次に、図９（ａ）に示したように、タオル本体２１０の他方の短辺の位置を犬の背中に合わせる。
【００５１】
次に、図９（ｂ）に示したように、タオル本体２１０を犬の胴に巻き付ける。
【００５２】
最後に、図９（ｃ）に示したように、紐状部材２２０の両端部を、内側から用途別挿通部２４０−１、２４０−２にそれぞれ通し、左側に紐状部材２２０を左側の用途別挿通部２４０−１に結び付ける。これにより、図８に示したように、巻き付けられたタオル本体２１０が犬に固定されて、ペット用ハーネスとして利用することができる。以上のようにして、多用途タオル２００を、ペット用ハーネスとして用いることができる。
【００５３】
なお、本実施形態の多用途タオル２００を、上記第１の実施形態で説明した（Ａ）三角巾や（Ｂ）子供用パンツとしても利用できることは言うまでもない。このときは、挿通部２３０の左側から導出される紐状部材２２０の長さと、右側から導出される紐状部材２２０の長さとが同じになるように、紐状部材２２０と挿通部２３０の位置合わせを行う。
【００５４】
（第２の実施形態の効果）
以上説明したように、本実施形態によれば、第１の実施形態と同様の効果を得ることができるとともに、挿通部２３０に窓部２３２を３つ設けたことによって、紐状部材２２０の左右を同じ長さにしたり、異なる長さにしたりすることができる。このようにして、多用途タオル２００の用途を広げることができる。さらに、挿通部２３０に窓部２３２を３つ設けたことによって、紐状部材２２０を挿通部２３０に挿通させたり移動させたりする際に、より容易に挿通及び移動させることができる。
【００５５】
（第３の実施形態）
本発明の第３の実施形態について、図１０及び図１１を参照しながら説明する。本実施形態では、上記第１又は第２の実施形態の多用途タオルを利用した、応用例について説明する。図１０は、多用途タオル２００を肌着として利用する例を示す図であり、（ａ）は、多機能パンツ２００を肌着として用いた状態を前から見た図であり、（ｂ）は、（ａ）を前から見た図である。図１１は、多用途タオルを肌着として利用する工程を示す図である。
【００５６】
（Ｄ）肌着
本実施形態では、多用途タオルを２枚用いる。ここでは、第２の実施形態の多用途タオル２００を用いて説明する。まず、図１１（ａ）に示したように、多用途タオル２００を２枚用意し、それぞれの多用途タオル２００において、３つの窓部２３２のうちの中央の窓部２３２の印２３４と、紐状部材２２０の印２２２とを一致させておく。このとき、挿通部２３０から導出される左右の紐状部材２２０の長さは同じである。
【００５７】
次に、図１１（ｂ）に示したように、２枚の多用途タオル２００を上下、すなわち、挿通部２３０が設けられている側と設けられていない側とを互いに逆に配置し、タオル本体２１０の長さ方向の中央位置で２つ折りにする。そして、紐状部材２２０の両端部を、内側から用途別挿通部２４０−１、２４０−２にそれぞれ挿通させる。
【００５８】
次に、図１１（ｃ）に示したように、２枚の多用途タオル２００のうちの一方を体の前面に、他方を体の背面にそれぞれ配置する。このとき、体の前面に配置される多用途タオル２００は、挿通部２３０が上に位置するように配置される。一方、体の背面に配置される多用途タオル２００は、挿通部２３０が下に位置するように配置される。
【００５９】
そして、体の前面の多用途タオル２００の紐状部材２２０の両端部を、肩を渡って背面の多用途タオル２００の用途別挿通部２４０−３、２４０−４に外側から挿通させて結び付ける。一方、背面の多用途タオル２００の紐状部材２２０の両端部を、体の両脇を通して、前面の多用途タオル２００の用途別挿通部２４０−３、２４０−４に外側から挿通させて結び付ける。以上のようにして、図１０に示したように、多用途タオル２００を、肌着として用いることができる。
【００６０】
（第３の実施形態の効果）
以上説明したように、本実施形態によれば、第１、第２の実施形態と同様の効果を得ることができるとともに、２枚の多用途タオル２００を用いて、それぞれの多用途タオル２００の紐状部材２２０の印を中央の窓部２３２の印２３４に合わせるだけで、多用途タオル２００を簡単に肌着として利用することができる。
【００６１】
なお、本実施形態では、２枚の多用途タオルを用いた例について説明したが、３枚以上の多用途タオルによって他の用途に使用できるようにすることも可能である。
【００６２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６３】
例えば、本実施形態では、多用途タオルの用途として、三角巾、子供用パンツ、ペット用ハーネス及び肌着を説明したが、多機能タオルをその他の用途に用いてもよいことは言うまでもない。例えば、幼児用パンツ、女性用パンツ、褌、おむつ、腹巻、腹帯、旗、ペットの運搬、包帯、ネックウォーマー、マスク、ターバン、帽子など、様々な用途に利用可能である。さらに、多用途タオルを購入したユーザに、多用途タオルの用途を提案させるといったことも可能である。
【００６４】
上記実施形態では、タオル本体の形状を矩形状としたが、本発明はこれに限定されず、台形、三角形、円形、楕円形など、様々な形状とすることができる。また、タオル本体に挿通部や用途別挿通部を設ける位置は、前述の位置に限定されず、タオル以外の用途に対応して様々な位置に設けるようにしてもよい。例えば、挿通部については、タオル本体の長辺の縁部などに設けてもよく、また、用途別挿通部については、タオル本体の短辺の縁部の長さ方向中央位置付近などに設けてもよい。
【００６５】
さらに、挿通部や用途別挿通部の数も、前述の数に限定されず、タオル以外の用途に対応してタオル本体に設ける数を変更することができる。なお、用途別挿通部は、必ずしも必須の構成ではなく、用途別挿通部を設けない多用途タオルとすることも可能である。
【符号の説明】
【００６６】
１００  多用途タオル（第１の実施形態）
１１０  タオル本体
１２０  紐状部材
１２２  印
１３０  挿通部
１３２  窓部
１３４  印
１４０  用途別挿通部
２００  多用途タオル（第２の実施形態）
２１０  タオル本体
２２０  紐状部材
２２２  印
２３０  挿通部
２３２  窓部
２３４  印
２４０  用途別挿通部
【図１】
0006321493.tif 000002
【図２】
0006321493.tif 000003
【図３】
0006321493.tif 000004
【図４】
0006321493.tif 000005
【図５】
0006321493.tif 000006
【図６】
0006321493.tif 000007
【図７】
0006321493.tif 000008
【図８】
0006321493.tif 000009
【図９】
0006321493.tif 000010
【図１０】
0006321493.tif 000011
【図１１】
0006321493.tif 000012